(57)【要約】【課題】地球温暖化時代の水不足に備えて、地中に埋設する貯水槽から、上水道の受水槽や高架水槽等、多種多様な貯水槽が容易に造れるポストで支える組立式貯水槽を提供する。【解決手段】板材1の側面に止水目地2を設け、四隅上下に突出した接続板3を設けた、貯水槽の板材4の突出した接続板3を、設置面5に固定した複数の支持ポスト6内に挿入して、止水目地2に止水目地材7を挿入しつつ、複数の貯水槽の板材4を敷設固定して成る突出した接続部分9を有する貯水槽の底板10、該貯水槽の底板10と貯水槽内の支持ポスト11を用いて、突出した接続部分9を有する貯水槽の天板12を成し、貯水槽の底板10の外周の止水目地2に外周の板受け材13を貼り付けて、貯水槽外周の支持ポスト14と外周の板材15を固定して、支持ポスト内にモルタル16を注入して止水することを特徴とするポストで支える組立式貯水槽。【選択図】  図1
2020114979.tif 000002
【特許請求の範囲】
【請求項１】
ポストで支える組立式貯水槽であって、板材の側面に止水目地を設け、四隅上下に突出した接続板を設けて成る貯水槽の板材、該貯水槽の板材の突出した接続板を、設置面に固定した複数の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の底板、該貯水槽の底板を連結固定した全ての突出した接続部分に、貯水槽内の支持ポストを挿入して、貯水槽の板材の突出した接続板を、貯水槽内の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の天板を成し、貯水槽の底板の外周の止水目地に外周の板受け材を貼り付けて、貯水槽外周の支持ポストと外周の板材を固定して、全ての支持ポスト内にモルタルを注入して止水する組立式貯水槽が得られることを特徴とするポストで支える組立式貯水槽。
【請求項２】
前記、板材の側面に止水目地を設け、四隅上下に突出した接続板を設けて成る貯水槽の板材、該貯水槽の板材の突出した接続板を、設置面に固定した複数の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の底板、該貯水槽の底板を連結固定した全ての突出した接続部分に、貯水槽内の支持ポストを挿入して、貯水槽の板材の突出した接続板を、貯水槽内の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の天板を成し、貯水槽の底板の外周の止水目地に外周の板受け材を貼り付けて、貯水槽外周の支持ポストと外周の板材を固定して、全ての支持ポスト内にモルタルを注入して止水する組立式貯水槽によって、貯水槽荷重が分散できることを特徴とする請求項１に記載のポストで支える組立式貯水槽。
【請求項３】
前記、請求項1〜2記載の貯水槽内の支持ポスト・貯水槽外周の支持ポスト・外周の板材の縦寸法を変更することで、貯水槽容量が調整できることを特徴とする請求項１〜２に記載のポストで支える組立式貯水槽。
【請求項４】
前記、請求項1〜3記載の支持ポスト・貯水槽外周の支持ポストの縦寸法を変更することで、上水道の受水槽や上水道の高架受水槽に活用ができることを特徴とする請求項１〜3に記載のポストで支える組立式貯水槽。
【請求項５】
前記、請求項1〜3記載の組立式貯水槽の外周をモルタル又はコンクリートで覆うことで強固な組立式貯水槽になることを特徴とする請求項１〜4に記載のポストで支える組立式貯水槽。
【発明の詳細な説明】
【技術分野】
【０００１】
本発明は、雨水や水道水を大量に貯留する貯水槽であって、ポストで支える組立式貯水槽に関する。
【背景技術】
【０００２】
近年、地球温暖化や異常気象による降雨量不足によって渇水期には、上水道の給水が制限され生活に支障を来たすことがあり、全国自治体も雨水の貯水タンクの設置に補助金制度を整備するところが増えるなど、雨水の貯水タンクの設置が見直されている。他方、近年多発している集中豪雨や地中に埋設した老朽化した水道管の改修問題は深刻であり、豪雨災害への抑止となる雨水の貯水タンクの設置や非常時の備えとしての大量の貯水槽が必要であることは周知の通りである。
【０００３】
一般に、雨水を有効利用するための多種多様な貯水タンクの大半は、地盤面の基礎に設置した貯水タンクと縦樋と接続して貯水した雨水を、草花や植木の散水などの他に庭の撒き水や災害時の非常用水などの備えとして利用されている。
【０００４】
しかしながら、一般住宅などに用いられている雨水の貯水タンクは、貯水容量が小さく雨水の有効利用が制限されている。また、雨水の貯水タンクは架台の上に設置して建物に固定しているが、自然災害に耐える固定ができないのが現状である。
【０００５】
上記の通り、多種多様な雨水貯留タンクが開発されているが、いずれも小規模で、地震・津浪・台風・竜巻・洪水・火災等の災害に耐えられる強固な貯水タンクは開発がなされていない。しかしながら、渇水時や地震等の災害によりインフラが停止した場合でも水洗便器が使用できるなどの生活の備えは必要であり雨水の有効利用は大切である。
【先行技術文献】
【特許文献】
【０００６】
【特許文献１】なし
【発明の概要】
【発明が解決しようとする課題】
【０００７】
従来の貯水タンクには次のような問題点がある。
【０００８】
我が国の住宅地は狭く、雨水を有効利用するための貯水タンクを設置するスペースの確保が困難であるとともに、一般住宅などの貯水タンクは貯水容量が小さく雨水の有効利用の範囲が制限されていた。また、貯水タンクは架台の上に設置して外壁に転倒防止の固定をしているが、現状の外壁に強固に固定することは困難である。
【０００９】
稀にではあるが、雨水を貯めるために地下に貯水槽を造る例もあるが、土圧に耐える構造にするために高額の費用が掛かることから普及しないのが現状である。
【００１０】
また、大量の水を必要とする農園やビニールハウスは、地盤面に貯水槽を設置して散水に備えているが雨水を自動的に蓄える貯水槽になっていないのが現状である。他方、広い公園などの散水設備には巨大な設備費を必要とする課題もある。しかも、電気などの動力を必要とすることから、地震等の災害によるインフラ停止時には対応はできないなどの問題がある。
【００１１】
水道水の受水槽や高架水槽についても集中荷重であることから、強固な架台を必要としていた。
【００１２】
しかしながら、貯水槽に集めた雨水を利用すれば水道料金や下水道料金が節約できる。さらに、貯水ダム工事も中止される時代、多種多様な構築物・各家庭・農園・ビニールハウス・公園などに貯水槽が設置されれば節水だけでなく、集中豪雨などの際の雨水流出抑止にも寄与できる。これら全ての構築物に貯水槽を備えて雨水を有効利用することは大切である。
【００１３】
本発明は、このような点に鑑みて成されたもので、自然災害に備えて広く普及させることを目的とした。多目的利用且つ低コストで造れるポストで支える組立式貯水槽を提供することを主目的とする。
【課題を解決するための手段】
【００１４】
この発明は、上記の課題を解決するためになされたもので、板材の側面に止水目地を設け、四隅上下に突出した接続板を設けて成る貯水槽の板材、該貯水槽の板材の突出した接続板を、設置面に固定した複数の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の底板、該貯水槽の底板を連結固定した全ての突出した接続部分に、貯水槽内の支持ポストを挿入して、貯水槽の板材の突出した接続板を、貯水槽内の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の天板を成し、貯水槽の底板の外周の止水目地に外周の板受け材を貼り付けて、貯水槽外周の支持ポストと外周の板材を固定して、全ての支持ポスト内にモルタルを注入して止水する組立式貯水槽が得られることを特徴とするポストで支える組立式貯水槽（請求項１）を提供する。
【００１５】
前記、板材の側面に止水目地を設け、四隅上下に突出した接続板を設けて成る貯水槽の板材、該貯水槽の板材の突出した接続板を、設置面に固定した複数の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の底板、該貯水槽の底板を連結固定した全ての突出した接続部分に、貯水槽内の支持ポストを挿入して、貯水槽の板材の突出した接続板を、貯水槽内の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の天板を成し、貯水槽の底板の外周の止水目地に外周の板受け材を貼り付けて、貯水槽外周の支持ポストと外周の板材を固定して、全ての支持ポスト内にモルタルを注入して止水する組立式貯水槽によって、貯水槽荷重が分散できることを特徴とする請求項１に記載のポストで支える組立式貯水槽（請求項２）を提供する。
【００１６】
前記、請求項1〜2記載の貯水槽内の支持ポスト・貯水槽外周の支持ポスト・外周の板材の縦寸法を変更することで、貯水槽容量が調整できることを特徴とする請求項１〜２に記載のポストで支える組立式貯水槽（請求項３）を提供する。
【００１７】
前記、請求項1〜3記載の支持ポスト・貯水槽外周の支持ポストの縦寸法を変更することで、上水道の受水槽や上水道の高架受水槽に活用ができることを特徴とする請求項１〜3に記載のポストで支える組立式貯水槽（請求項４）を提供する。
【００１８】
前記、請求項1〜3記載の組立式貯水槽の外周をモルタル又はコンクリートで覆うことで強固な組立式貯水槽になることを特徴とする請求項１〜4に記載のポストで支える組立式貯水槽（請求項5）を提供する。
【発明の効果】
【００１９】
本発明の特筆すべき大きな効果を列挙する。
イ）雨水から上水道の貯水活用可能な貯水槽。
ロ）災害に強い複数のポストで支える貯水槽。
ハ）住宅の床下に設置できる大容量の貯水槽。
二）住宅のテラス活用可能な大容量の貯水槽。
ホ）農業ハウスから果樹園活用可能な貯水槽。
へ）地中埋設によって設置場所不要の貯水槽。
ト）温暖地から寒冷地に埋設ができる貯水槽。
チ）組立式による搬送費が低減できる貯水槽。
【００２０】
上記した効果に加えて、本発明の節水対策はもとより集中豪雨などの際の雨水流出抑制等に多大な効果が期待される。さらに、災害によるインフラ停止時もトイレや雑用水など多目的に利用できる。また、経費の掛からない雨水が大量に使えることは地球温暖化防止の観点からも大切であり大きな効果である。
【００２１】
請求項１に係る発明によれば、板材の側面に止水目地を設け、四隅上下に突出した接続板を設けて成る貯水槽の板材、該貯水槽の板材の突出した接続板を、設置面に固定した複数の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の底板、該貯水槽の底板を連結固定した全ての突出した接続部分に、貯水槽内の支持ポストを挿入して、貯水槽の板材の突出した接続板を、貯水槽内の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の天板を成し、貯水槽の底板の外周の止水目地に外周の板受け材を貼り付けて、貯水槽外周の支持ポストと外周の板材を固定して、全ての支持ポスト内にモルタルを注入して止水する組立式貯水槽を、多種多様な構築物・各家庭の床下やテラス・農園・ビニールハウス・公園などに設置されれば節水だけでなく、集中豪雨などの雨水流出抑制にも寄与できる。また、全ての構築物に大容量の貯水槽を備えて雨水を大切に有効利用する効果は無限である。
【００２２】
請求項２に係る発明によれば、前記、板材の側面に止水目地を設け、四隅上下に突出した接続板を設けて成る貯水槽の板材、該貯水槽の板材の突出した接続板を、設置面に固定した複数の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の底板、該貯水槽の底板を連結固定した全ての突出した接続部分に、貯水槽内の支持ポストを挿入して、貯水槽の板材の突出した接続板を、貯水槽内の支持ポスト内に挿入して、貯水槽の板材の止水目地に止水目地材を挿入しつつ、複数の貯水槽の板材を敷設して、全ての突出した接続板をボルトで連結固定して成る突出した接続部分を有する貯水槽の天板を成し、貯水槽の底板の外周の止水目地に外周の板受け材を貼り付けて、貯水槽外周の支持ポストと外周の板材を固定して、全ての支持ポスト内にモルタルを注入して止水する組立式貯水槽によって、貯水槽荷重が分散できることから、集中荷重の架台を不要にする効果は大きい。
【００２３】
請求項３に係る発明によれば、前記、請求項1〜2記載の貯水槽内の支持ポスト・貯水槽外周の支持ポスト・外周の板材の縦寸法を変更することで、貯水槽容量が調整できることから、必要とする容量の貯水槽が容易に得られる効果は大きい。
【００２４】
請求項４に係る発明によれば、前記、請求項1〜3記載の支持ポスト・貯水槽外周の支持ポストの縦寸法を変更することで、上水道の受水槽や上水道の高架受水槽に活用ができることから、多種多様な貯水槽に活用ができる効果は大きい。
【００２５】
請求項5に係る発明によれば、前記、請求項1〜3記載の組立式貯水槽の外周をモルタル又はコンクリートで覆うことで、災害に強い貯水槽になるとともに、貯水槽の上が多目的に利用ができる効果は大きい。
【００２６】
また、貯水槽を地中に埋設することにより、貯水槽を設置する場所を確保する必要がないことは特に大きな効果である。また、貯水槽上が自由に使えることは特に大きな効果である。
【００２７】
さらに、貯水槽を地中に埋設することにより、貯水槽の素材の選択が容易になる効果と素材の強度厚が緩和される効果もコスト面から大きな効果である。
【発明を実施するための最良の形態】
【００２８】
以下に、本発明の実施形態の添付図面を参照しつつ詳細に説明する。
【００２９】
図1は、本発明に係るポストで支える組立式貯水槽の平面図。図２は、図１のA〜A´の断面図(低貯水量)。図３は、図１のA〜A´の断面図(高貯水量)。図４は、図2の支持ポストを高くした断面図(低貯水量)。図５は、図3の支持ポストを高くした断面図(高貯水量)。図６は、図1のA部を拡大した平面詳細図。図7は、図2のB部を拡大した断面詳細図。図8は、図5のD部を拡大した断面詳細図。図9は、貯水槽の板材を示した平面図。図10は、貯水槽の板材の断面図。図11は、図2の外周をモルタルで覆った断面図。図12は、図3の外周をモルタルで覆った断面図。図13は、地中に埋設した貯水槽の断面図。図14は、住宅の床下を活用する貯水槽の断面図。図15は、住宅のテラスに活用する貯水槽の断面図である。
【００３０】
本発明の実施形態を図面で説明すれば、図１は、板材1の側面に止水目地2を設け、四隅上下に突出した接続板3を設けて成る貯水槽の板材4、該貯水槽の板材4の突出した接続板3を、設置面5に固定した複数の支持ポスト6内に挿入して、貯水槽の板材4の止水目地2に止水目地材7を挿入しつつ、複数の貯水槽の板材4を敷設して、全ての突出した接続板3をボルト8で連結固定して成る突出した接続部分9を有する貯水槽の底板10、該貯水槽の底板10を連結固定した全ての突出した接続部分9に、貯水槽内の支持ポスト11を挿入して、貯水槽の板材4の突出した接続板3を、貯水槽内の支持ポスト11内に挿入して、貯水槽の板材4の止水目地2に止水目地材7を挿入しつつ、複数の貯水槽の板材4を敷設して、全ての突出した接続板3をボルト8で連結固定して成る突出した接続部分9を有する貯水槽の天板12を成し、貯水槽の底板10の外周の止水目地2に外周の板受け材13を貼り付けて、貯水槽外周の支持ポスト14と外周の板材15を固定して、全ての支持ポスト内にモルタル16を注入して、止水する組立式貯水槽17が得られることを特徴とする、ポストで支える組立式貯水槽の平面図である。
【００３１】
図２は、地中に埋設する、図１のA〜A´の断面図(低貯水量)である。
【００３２】
図３は、地中に埋設する、図１のA〜A´の断面図(高貯水量)である。
【００３３】
図４は、地上又はビルの屋上に設置する受水槽又は高架水槽の図2の支持ポストを高くした断面図(低貯水量)である。
【００３４】
図５は、地上又はビルの屋上に設置する受水槽又は高架水槽の図3の支持ポストを高くした断面図(高貯水量)である。
【００３５】
図６は、図1のA部を拡大した平面詳細図である。
【００３６】
図7は、図2のB部を拡大した断面詳細図である。
【００３７】
図8は、図5のD部を拡大した断面詳細図である。
【００３８】
図9は、貯水槽の板材を示した平面図である。
【００３９】
図10は、貯水槽の板材の断面図である。
【００４０】
図11は、図2の外周をモルタルで覆った断面図である。
【００４１】
図12は、図3の外周をモルタルで覆った断面図である。
【００４２】
図13は、地中に埋設した貯水槽の断面図である。
【００４３】
図14は、住宅の床下を活用する貯水槽の断面図である。
【００４４】
図15は、住宅のテラスに活用する貯水槽の断面図である。
【００４５】
以上、図面について説明したが、従来の住宅に設置する貯水タンクには、設置場所や貯水量不足の問題があり、ビルに設置する上水道の貯水槽には、設置場所や強固な架台を必要とするため設置コスト等に課題があった。他方、本発明のポストで支える組立式貯水槽は、テラス活用・地下埋設の貯水槽・上水道の受水槽や高架水槽等、多種多様な貯水槽が高度な技能を必要とすることなく多能工でも迅速且つ低コストで容易に構築できることを目的としたものである。
【００４６】
さらに、本発明のポストで支える組立式貯水槽を、地中に埋設すれば地熱によって凍結しない貯水槽となる。
【発明を実施するための形態】
【００４７】
500mm×500mmの板材1の側面に止水目地2を設け、四隅上下に30mm突出した接続板3を設けて成る貯水槽の板材4、該貯水槽の板材4の突出した接続板3を、設置面5に固定した複数の支持ポスト6内に挿入して、貯水槽の板材4の止水目地2に止水目地材7を挿入しつつ、複数の貯水槽の板材4を敷設して、全ての突出した接続板3をボルト8で連結固定して成る突出した接続部分9を有する貯水槽の底板10、該貯水槽の底板10を連結固定した全ての突出した接続部分9に、貯水槽内の支持ポスト11を挿入して、貯水槽の板材4の突出した接続板3を、貯水槽内の支持ポスト11内に挿入して、貯水槽の板材4の止水目地2に止水目地材7を挿入しつつ、複数の貯水槽の板材4を敷設して、全ての突出した接続板3をボルト8で連結固定して成る突出した接続部分9を有する貯水槽の天板12を成し、貯水槽の底板10の外周の止水目地2に外周の板受け材13を貼り付けて、貯水槽外周の支持ポスト14と外周の板材15を固定して、全ての支持ポスト内にモルタル16、又は、コンクリート18を注入して止水する組立式貯水槽17、以下、組立式貯水槽17。
【実施例１】
【００４８】
「住宅の駐車場に埋設する貯水槽の実施例」
一家に一台の自動車社会に於いて、今日の住宅建設地には12.5平方メートルの駐車スペースが設けられている。１平方メートル当り４面の貯水槽の板材4が埋設できる組立式貯水槽17を、4面(2,000mm)×8面(4,000mm)＝8平方メートルとなり、組立式貯水槽17の高さを200mmにすれば、貯水量が1.6立米の組立式貯水槽17が得られる。他方、水源は竪樋からの雨水が利用できる。また、組立式貯水槽17の上にコンクリート18を打設することで駐車場として活用ができる。
【実施例２】
【００４９】
「住宅の床下を活用する貯水槽の実施例」
図14を参照に、組立式貯水槽17を住宅の床下に設置した場合、１H平方メートル当り４面の貯水槽の板材4で造れる組立式貯水槽17を、4面(2,000mm)×6面(3,000mm)＝6平方メートルとなり、組立式貯水槽17の高さを200mmにすれば、貯水量が1.2立米の組立式貯水槽17が得られる。他方、水源は竪樋からの雨水が利用できる。また、組立式貯水槽17の上にコンクリート18を打設することで床組を支える架台となる。
【実施例３】
【００５０】
「住宅のテラスに活用する貯水槽の実施例」
図15を参照に、組立式貯水槽17を住宅のテラスに利用した場合、１平方メートル当り４面の貯水槽の板材4で造れる組立式貯水槽17を、3面(1,500mm)×8面(4,000mm)＝6平方メートルとなり、組立式貯水槽17の高さを300mmにすれば、貯水量が1.8立米の組立式貯水槽17が得られる。他方、水源は竪樋からの雨水が利用できる。また、組立式貯水槽17の上にコンクリート18を打設することでテラスとして活用ができる。
【実施例４】
【００５１】
「農園や果樹園に埋設する貯水槽の実施例」
大容量の水を必要とする農園や果樹園の渇水期に備えて、荷役場や駐車スペースを利用した場合、１平方メートル当り４面の貯水槽の板材4で造れる組立式貯水槽17を、10面(5,000mm)×10面(5,000mm)＝25平方メートルとなり、組立式貯水槽17の高さを300mmにすれば、貯水量が7.5立米の組立式貯水槽17が得られる。他方、水源は雨水が利用できる。また、組立式貯水槽17の上にコンクリート18を打設することで荷役場や駐車スペースとして活用ができる。
【実施例５】
【００５２】
「ビニールハウスの通路に埋設する貯水槽の実施例」
大容量の水を必要とするビニールハウスの作業通路に埋設した場合、１平方メートル当り４面の貯水槽の板材4で造れる組立式貯水槽17を、1面(500mm)×40面(20,000mm)＝10平方メートルとなり、組立式貯水槽17の高さを200mmにすれば、一筋で貯水量が2.5立米となり、三筋に埋設すれば7.5立米の組立式貯水槽17が得られる。他方、水源はビニールハウスの雨水が利用できる。また、組立式貯水槽17の上にコンクリート18を打設することで強固な作業通路が得られる。
【実施例６】
【００５３】
「段々畑の果樹園に埋設する貯水槽の実施例」
段々畑の果樹園に雨水貯留槽を設置する場合は、最上段の果樹園に大容量の雨水貯留槽を敷設する場合と各々の段々畑に雨水貯留槽を敷設する場合が考えられる。何れも大容量の水を必要とする段々畑の果樹園の渇水期に備えて、荷役場等を利用した場合、１平方メートル当り４面の貯水槽の板材4で造れる組立式貯水槽17を、段々畑の果樹園ごとに4面(2,000mm)×4面(2,000mm)＝4平方メートルとして、組立式貯水槽17の高さを300mmにすれば、貯水量が1.2立米の組立式貯水槽17が得られる。他方、水源は雨水が利用できる。また、組立式貯水槽17の上にコンクリート18を打設することで強固な荷役場として活用ができる。
【実施例７】
【００５４】
「ビルの受水槽とする貯水槽の実施例」
設置面を地盤面とする上水道水を貯める受水槽の場合は、図5に示したように支持ポスト6の長さを600mmとして点検を可能にした、１平方メートル当り４面の貯水槽の板材4で造れる組立式貯水槽17を、10面(5,000mm)×10面(5,000mm)＝25平方メートルとなり、組立式貯水槽17の高さを300mmにすれば、貯水量が7.5立米の組立式貯水槽17が得られる。他方、組立式貯水槽17の上にコンクリート18を打設することで強固なビルの受水槽となり、軽微な作業場としての活用も可能である。
【実施例８】
【００５５】
「ビルの高架水槽とする貯水槽の実施例」
設置面をビルの屋上とする上水道水を貯める高架水槽の場合は、図5に示したように支持ポスト6の長さを600mmとして点検を可能にした、１平方メートル当り４面の貯水槽の板材4で造れる組立式貯水槽17を、10面(5,000mm)×10面(5,000mm)＝25平方メートルとなり、組立式貯水槽17の高さを300mmにすれば、貯水量が7.5立米の組立式貯水槽17が得られる。他方、分布荷重の組立式貯水槽17はスラブの上でも設置することが可能である。
【００５６】
なお、この発明に於いて、実施例や図面に示した寸法や各部材は一例を示したものであり、同様の機能を果たす公知の他の寸法や部材に置き換えることは可能である。例えば貯水槽の板材の寸法や形状や大きさも自由に設定ができる。さらに、材料についても自由に設定できるとともに発明に支障なく実施することができる。
【産業上の利用可能性】
【００５７】
災害が予測される「南海トラフ」巨大地震・東京直下型地震・富士山の噴火・豪雪・豪雨災害等で発生するインフラの停止で水不足が生活に支障を起こす可能性は大きい。特に水洗トイレが普及している、今日、水の無い生活は不可能であるとともに地球温暖化や異常気象による降水量不足による水不足が問題視されている。このような現状のなかで天からの贈り物である雨水が活用できる組立式貯水槽が多種多様な構築物・各家庭の床下やテラス・農園・ビニールハウス・公園などに設置されれば、節水だけでなく集中豪雨などの際の雨水流出抑制にも寄与できる。
【図面の簡単な説明】
【００５８】
【図１】本発明に係るポストで支える組立式貯水槽の平面図。
【図２】図１のA〜A´の断面図(低貯水量)。
【図３】図１のA〜A´の断面図(高貯水量)。
【図４】図2の支持ポストを高くした断面図(低貯水量)。
【図５】図3の支持ポストを高くした断面図(高貯水量)。
【図６】図1のA部を拡大した平面詳細図。
【図７】図2のB部を拡大した断面詳細図。
【図８】図5のD部を拡大した断面詳細図。
【図９】貯水槽の板材を示した平面図。
【図１０】貯水槽の板材の断面図。
【図１１】図2の外周をモルタルで覆った断面図。
【図１２】図3の外周をモルタルで覆った断面図。
【図１３】地中に埋設した貯水槽の断面図。
【図１４】住宅の床下を活用する貯水槽の断面図。
【図１５】住宅のテラスに活用する貯水槽の断面図である。
【符号の説明】
【００５９】
1.  板材
2.  止水目地
3.  突出した接続板
4.  貯水槽の板材
5.  設置面
6.  支持ポスト
7.  止水目地材
8.  ボルト
9.  突出した接続部分
10.  貯水槽の底板
11.  貯水槽内の支持ポスト
12.  貯水槽の天板
13.  外周の板受け材
14.  貯水槽外周の支持ポスト
15.  外周の板材
16.  モルタル
17.  組立式貯水槽
18.  コンクリート
19.  上水道の受水槽
20.  上水道の高架水槽
21.  貯水槽の板材の補強リブ
22.  ビス
23.  点検マンホール
【図１】
2020114979.tif 000003
【図２】
2020114979.tif 000004
【図３】
2020114979.tif 000005
【図４】
2020114979.tif 000006
【図５】
2020114979.tif 000007
【図６】
2020114979.tif 000008
【図７】
2020114979.tif 000009
【図８】
2020114979.tif 000010
【図９】
2020114979.tif 000011
【図１０】
2020114979.tif 000012
【図１１】
2020114979.tif 000013
【図１２】
2020114979.tif 000014
【図１３】
2020114979.tif 000015
【図１４】
2020114979.tif 000016
【図１５】
2020114979.tif 000017